(57)【特許請求の範囲】
【請求項１】
表示手段と、
暗所表示モードに設定するための特定項目を含む複数の項目を前記表示手段に表示するように制御する表示制御手段と、
前記表示手段に表示された前記複数の項目のうち、前記特定項目を選択する操作を含む操作に基づいて、前記暗所表示モードでない場合とは前記表示手段に表示される色が異なる表示状態であって、前記暗所表示モードでない場合に比べて青色の成分を減じた表示状態である前記暗所表示モードに設定する設定手段と、
前記表示手段の表示輝度をユーザ操作に応じて設定する輝度設定手段と、
前記暗所表示モードに設定されている場合に、前記表示手段に表示される複数の項目のいずれかを選択する操作を含まない特定の操作が行われたことに応じて、前記暗所表示モードを解除するように制御し、
前記暗所表示モードに設定されておらず、かつ、前記表示手段において前記輝度設定手段で設定された輝度に基づく輝度での表示を行う第１の表示輝度モードである場合に、前記特定の操作が行われたことに応じて、前記表示手段において、前記輝度設定手段で設定された輝度にかかわらず、前記輝度設定手段で設定可能な最大輝度での表示を行う第２の表示輝度モードに変更するように制御する制御手段と、を有することを特徴とする表示装置。
【請求項２】
前記制御手段は、前記設定手段で前記暗所表示モードに設定されていない場合に、前記特定の操作が行われても前記暗所表示モードには設定しないことを特徴とする請求項１に記載の表示装置。
【請求項３】
前記制御手段は、
前記暗所表示モードに設定されている場合に、前記特定の操作とは異なる操作であって、前記表示手段に表示される複数の項目から前記特定項目を選択する操作を含む操作に応じても、前記暗所表示モードを解除するように制御し、
前記設定手段で前記暗所表示モードに設定されていない場合に、前記特定の操作が行われても前記暗所表示モードには設定しないことを特徴とする請求項１に記載の表示装置。
【請求項４】
前記制御手段は、前記表示装置に関する複数の設定項目が一覧表示されるメニュー画面を表示するように制御し、前記特定項目は前記メニュー画面に表示される複数の設定項目に含まれることを特徴とする請求項１または３に記載の表示装置。
【請求項５】
前記暗所表示モードは、当該暗所表示モードでない場合に比べてユーザの暗順応を妨げにくい表示状態であることを特徴とする請求項１乃至４のいずれか１項に記載の表示装置。
【請求項６】
前記暗所表示モードは、くすんだオレンジ、あるいは茶色を用いた表示状態であることを特徴とする請求項１乃至５のいずれか１項に記載の表示装置。
【請求項７】
前記特定の操作は、特定の操作部材の長押しであることを特徴とする請求項１乃至６のいずれか１項に記載の表示装置。
【請求項８】
前記制御手段は、前記特定の操作部材の短押しに応じて、それぞれ表示する情報の種類または数が異なる複数の表示モードのいずれかに切り替えることを特徴とする請求項７に記載の表示装置。
【請求項９】
前記制御手段は、前記特定の操作で暗所表示モードを解除した場合は、前記表示手段での表示モードを前記第１の表示輝度モードとするように制御することを特徴とする請求項１乃至８のいずれか１項に記載の表示装置。
【請求項１０】
前記制御手段は、前記特定の操作で暗所表示モードを解除した場合は、前記表示手段での表示モードを前記第２の表示輝度モードとするように制御することを特徴とする請求項１乃至８のいずれか１項に記載の表示装置。
【請求項１１】
前記特定の操作は、前記表示手段の表示を見ずに前記暗所表示モードを解除できる操作であって、装置を振動させる操作、装置の所定の場所を触れる操作、音声認識、タッチパネルを用いた所定のジェスチャ操作、タッチパネルの画面を手で覆う操作、複数の操作部材の同時押し操作のいずれかを含むことを特徴とする請求項１乃至６、９、１０のいずれか１項に記載の表示装置。
【請求項１２】
前記設定手段は、前記暗所表示モードに設定されて前記表示装置の電源がオフされた後に再度オンになった場合、前記暗所表示モードの設定を維持することを特徴とする請求項１乃至１１のいずれか１項に記載の表示装置。
【請求項１３】
前記輝度設定手段は、前記特定項目とは異なる、輝度の設定項目の選択を含む操作に応じて、複数段階の輝度のうちの１つに設定することを特徴とする請求項１に記載の表示装置。
【請求項１４】
前記制御手段は、前記暗所表示モードに設定されておらず、かつ、前記第２の表示輝度モードである場合に、前記特定の操作が行われたことに応じて、前記第１の表示輝度モードに変更するように制御することを特徴とする請求項１乃至１３のいずれか１項に記載の表示装置。
【請求項１５】
表示手段に、暗所表示モードに設定するための特定項目を含む複数の項目を表示するステップと、
前記表示手段に表示された前記複数の項目のうち、前記特定項目を選択する操作を含む操作に基づいて、前記暗所表示モードでない場合とは前記表示手段に表示される色が異なる表示状態であって、前記暗所表示モードでない場合に比べて青色の成分を減じた表示状態である前記暗所表示モードに設定するステップと、
前記表示手段の表示輝度をユーザ操作に応じて設定するステップと、
前記暗所表示モードに設定されている場合に、前記表示手段に表示される複数の項目のいずれかを選択する操作を含まない特定の操作に応じて、前記暗所表示モードを解除するように制御し、
前記暗所表示モードに設定されておらず、かつ、前記表示手段において前記設定された輝度に基づく輝度での表示を行う第１の表示輝度モードである場合に、前記特定の操作が行われたことに応じて、前記表示手段において、前記設定された輝度にかかわらず、前記表示手段の表示輝度として設定可能な最大輝度での表示を行う第２の表示輝度モードに変更するように制御するステップと、を有することを特徴とする表示装置の制御方法。
【請求項１６】
コンピュータを、請求項１乃至１４のいずれか１項に記載された表示装置の各手段として機能させるためのプログラム。
【請求項１７】
コンピュータを、請求項１乃至１４のいずれか１項に記載された表示装置の各手段として機能させるためのプログラムを格納したコンピュータが読み取り可能な記憶媒体。
【発明の詳細な説明】
【技術分野】
【０００１】
本発明は、暗所表示モードを含む複数の表示モードへの切り替え機能を有する表示装置及びその制御方法に関する。
【背景技術】
【０００２】
従来の表示装置には、周囲の明るさに応じて画面の輝度や表示内容を変更するものがある。これに関連する従来技術として、特許文献１には、所定の操作部材の長押しが行われた場合に、画面の輝度を最も高いレベルに設定することによって、周囲が明るくて画面が見えづらい状況で視認性を改善する技術が提案されている。また、特許文献２には、暗所表示モードでは、画面の青（Ｂ）成分のみ若しくは青成分と緑（Ｇ）成分を低減し、くすんだオレンジや茶色のような色で表示を行い、ユーザの視覚の暗順応を維持しやすい、暗所に好適な色で表示を行う技術が提案されている。
【先行技術文献】
【特許文献】
【０００３】
【特許文献１】特許第５１８８０１０号公報
【特許文献２】特開２０１５−０４０９６６号公報
【発明の概要】
【発明が解決しようとする課題】
【０００４】
周囲が暗い状況で有用な暗所表示モードでは、画面の輝度を最低レベルに設定したり、表示色を人間の暗順応を妨げない赤色系にするなどの工夫が施されている。ところで、暗所表示モードに設定された状態で表示装置の電源をオフした場合、次に電源をオンしたときには暗所表示モードで起動されるので、屋外などの周囲が明るいシーンでは画面が見えづらい或いは殆ど見えない状況が想定される。この場合、ユーザは画面が見えづらい或いは見えないので、暗所表示モードを解除しようと設定変更を試みると考えられる。しかしながら、表示モードの設定はＧＵＩで表現されるメニュー画面上で行う場合が多いため、画面が見えづらい状況では設定変更の操作が困難となる。
【０００５】
本発明は、上記課題に鑑みてなされ、その目的は、暗所表示モードで表示されているために表示部が見えづらい状況であっても表示モードの設定変更を容易に行える表示制御技術を実現することである。
【課題を解決するための手段】
【０００６】
上記課題を解決し、目的を達成するために、本発明の表示装置は、表示手段と、暗所表示モードに設定するための特定項目を含む複数の項目を前記表示手段に表示するように制御する表示制御手段と、前記表示手段に表示された前記複数の項目のうち、前記特定項目を選択する操作を含む操作に基づいて、前記暗所表示モードでない場合とは前記表示手段に表示される色が異なる表示状態であって、前記暗所表示モードでない場合に比べて青色の成分を減じた表示状態である前記暗所表示モードに設定する設定手段と、前記表示手段の表示輝度をユーザ操作に応じて設定する輝度設定手段と、前記暗所表示モードに設定されている場合に、前記表示手段に表示される複数の項目のいずれかを選択する操作を含まない特定の操作が行われたことに応じて、前記暗所表示モードを解除するように制御し、前記暗所表示モードに設定されておらず、かつ、前記表示手段において前記輝度設定手段で設定された輝度に基づく輝度での表示を行う第１の表示輝度モードである場合に、前記特定の操作が行われたことに応じて、前記表示手段において、前記輝度設定手段で設定された輝度にかかわらず、前記輝度設定手段で設定可能な最大輝度での表示を行う第２の表示輝度モードに変更するように制御する制御手段と、を有する。
【発明の効果】
【０００７】
本発明によれば、暗所表示モードで表示されているために表示部が見えづらい状況であっても表示モードの設定変更を容易に行うことができるようになる。
【図面の簡単な説明】
【０００８】
【図１】本実施形態の撮像装置の背面から見た外観図。
【図２】本実施形態の撮像装置の構成を示すブロック図。
【図３】本実施形態による表示モードの設定変更処理を示すフローチャート。
【図４】本実施形態のライブビュー時における画面表示例を示す図。
【図５】本実施形態の通常表示モード（ａ）及び暗所表示モード（ｂ）における画面表示例を示す図。
【発明を実施するための形態】
【０００９】
以下に、本発明の表示装置を、暗所表示モードを含む複数の表示モードへの切り替え機能を有し、静止画や動画を撮影可能なデジタルカメラなどの撮像装置に適用した実施の形態について、添付図面を参照して詳細に説明する。
【００１０】
本実施形態の暗所表示モードは、ユーザがメニュー画面上で暗所表示設定をオン／オフすることで切り替えられると共に、周囲が明るいため画面が見えづらい状況ではユーザが特定の操作部材を操作することによって暗所表示設定を解除できるようになっている。
【００１１】
暗所表示は、暗所で撮影が想定される天体撮影モード、プログラムＡＥモード、絞り優先モード、シャッター速度優先モード、マニュアルモード、夜景撮影モード、打ち上げ花火撮影モードにおいてメニュー項目で設定可能である。
【００１２】
＜装置構成＞図１及び図２を参照して、本実施形態のデジタルカメラの機能及び外観について説明する。
【００１３】
本実施形態のデジタルカメラ１００の外観を示す図１において、表示部１０１は画像や各種情報を表示する液晶表示パネル（ＬＣＤ）等からなる。シャッターボタン１０２は撮影指示を行うための操作部である。モード切替ボタン１０３は各種モードを切り替えるための操作部である。コネクタ１０７は接続ケーブル１０８とデジタルカメラ１００とを接続するインターフェースである。操作部１０４はユーザからの各種操作を受け付ける各種スイッチ、ボタン、タッチパネル等の操作部材からなる操作部である。コントローラホイール１０６は操作部１０４に含まれる回転可能な電子ダイヤルである。電源スイッチ１０５は電源のオン、オフを切り替える操作部である。
【００１４】
ＤＩＳＰボタン１０４ａは操作部１０４に含まれる、表示モードを切り替えるための操作部材である。ＤＩＳＰボタン１０４ａは物理的な押しボタンスイッチであり、表示部１０１に一体的に設けられたタッチパネル上に表示されたソフトスイッチなどとは異なり、ユーザが画面を見ずに操作可能な操作部材である。ＤＩＳＰボタン１０４ａの配置は図示の位置に限るものではなく、例えば４方向ボタンのうち、下ボタンにＤＩＳＰボタンの機能を割り当ててもよい。ＭＥＮＵボタン１０４ｂは操作部１０４に含まれる、メニュー画面を表示するための操作部材である。
【００１５】
記録媒体１０９はメモリカードやハードディスク等の記録媒体である。記録媒体スロット１１０は記録媒体１０９を格納するためのスロットである。記録媒体スロット１１０に格納された記録媒体１０９は、デジタルカメラ１００との通信が可能となる。蓋１１１は記録媒体スロット１１０の蓋である。ズームレバー１１２は、ユーザが撮影レンズ２０３のズーム動作を指示する左右に可動なズーム指示部材であり、一方の方向に動かすとＴＥＬＥ側、他方の方向に動かすとＷＩＤＥ側に撮影レンズ２０３を駆動できる。なお、上下左右の４方向ボタンの左右などをズームボタンとして割り当ててもよい。
【００１６】
本実施形態のデジタルカメラ１００の内部構成を示す図２において、撮影レンズ２０３はズームレンズ、フォーカスレンズを含むレンズ群である。シャッター２０４は絞り機能を備える。撮像部２０５は被写体の光学像を電気信号に変換するＣＣＤやＣＭＯＳ等で構成される撮像素子である。Ａ／Ｄ変換器２０６は、アナログ信号をデジタル信号に変換する。Ａ／Ｄ変換器２０６は、撮像部２０５から出力されるアナログ信号をデジタル信号に変換するために用いられる。バリア２０２は、デジタルカメラ１００の、撮影レンズ２０３を含む撮像系を覆うことにより、撮影レンズ２０３、シャッター２０４、撮像部２０５を含む撮像系の汚れや破損を防止する。
【００１７】
画像処理部２０７は、Ａ／Ｄ変換器２０６からのデータ、又は、メモリ制御部２０９からのデータに対し所定の画素補間、縮小といったリサイズ処理や色変換処理を行う。また、画像処理部２０７では、撮像した画像データを用いて所定の演算処理が行われ、得られた演算結果に基づいてシステム制御部２０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０７ではさらに、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２０６からの出力データは、画像処理部２０７及びメモリ制御部２０９を介して、或いは、メモリ制御部２０９を介してメモリ２１０に直接書き込まれる。メモリ２１０は、撮像部２０５によって得られ、Ａ／Ｄ変換器２０６によりデジタルデータに変換された画像データや、表示部１０１に表示するための画像データを格納する。メモリ２１０は、所定枚数の静止画や所定時間の動画および音声を格納するのに十分な記憶容量を備えている。
【００１９】
また、メモリ２１０は画像表示用のメモリ（ビデオメモリ）を兼ねている。Ｄ／Ａ変換器２０８は、メモリ２１０に格納されている画像表示用のデータをアナログ信号に変換して表示部１０１に供給する。こうして、メモリ２１０に書き込まれた表示用の画像データはＤ／Ａ変換器２０８を介して表示部１０１により表示される。表示部１０１は、ＬＣＤ等の表示器上に、Ｄ／Ａ変換器２０８からのアナログ信号に応じた表示を行う。Ａ／Ｄ変換器２０６によって一旦Ａ／Ｄ変換され、メモリ２１０に蓄積されたデジタル信号をＤ／Ａ変換器２０８においてアナログ変換し、表示部１０１に逐次転送して表示することで、電子ビューファインダ（ＥＶＦ）として機能し、ライブビューによるスルー画像の表示を行える。
【００２０】
不揮発性メモリ２１３は、電気的に消去・記憶可能なメモリであり、例えばＥＥＰＲＯＭ等が用いられる。不揮発性メモリ２１３には、システム制御部２０１の動作用の定数、プログラム等が記憶される。ここでいう、プログラムとは、本実施形態にて後述する各種フローチャートを実行するためのプログラムのことである。
【００２１】
システム制御部２０１は、デジタルカメラ１００全体を制御する。前述した不揮発性メモリ２１３に記憶されたプログラムを実行することで、後述する本実施形態の各処理を実現する。２１２はシステムメモリであり、ＲＡＭが用いられる。システムメモリ２１２には、システム制御部２０１の動作用の定数、変数、不揮発性メモリ２１３から読み込んだプログラム等を展開する。また、システム制御部２０１はメモリ２１０、Ｄ／Ａ変換器２０８、表示部１０１等を制御することにより表示制御も行う。
【００２２】
システムタイマー２１１は各種制御に用いる時間や、内蔵された時計の時間を計測する計時部である。
【００２３】
モード切替ボタン１０３、第１シャッタースイッチ１０２ａ、第２シャッタースイッチ１０２ｂ、操作部１０４はシステム制御部２０１に各種の動作指示を入力するための操作手段である。
【００２４】
モード切替ボタン１０３は、システム制御部２０１の動作モードを静止画撮影モード、動画記録モード、再生モードなどのいずれかに切り替える。静止画撮影モードに含まれるモードとして、オートモード、オートシーン判別モード、マニュアルモード、シーン別撮影モード、プログラムＡＥモード、カスタムモードなどがある。モード切替ボタン１０３で、静止画撮影モードに含まれるこれらのモードのいずれかに直接切り替えられる。あるいは、モード切替ボタン１０３で静止画撮影モードに一旦切り替えた後に、静止画撮影モードに含まれるこれらのモードのいずれかに、他の操作部材を用いて切り替えるようにしてもよい。同様に、動画記録モードにも複数のモードが含まれていてもよい。
【００２５】
第１シャッタースイッチ１０２ａは、デジタルカメラ１００に設けられたシャッターボタン１０２の操作途中、いわゆる半押し（撮影準備指示）でオンとなり第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
【００２６】
第２シャッタースイッチ１０２ｂは、シャッターボタン１０２の操作完了、いわゆる全押し（撮影指示）でオンとなり、第２シャッタースイッチ信号ＳＷ２を発生する。システム制御部２０１は、第２シャッタースイッチ信号ＳＷ２により、撮像部２０５からの信号読み出しから記録媒体１０９に画像データを書き込むまでの一連の撮影処理の動作を開始する。
【００２７】
操作部１０４の各操作部材は、表示部１０１に表示される種々の機能アイコンを選択操作することなどにより、シーンごとに適宜機能が割り当てられ、各種機能ボタンとして作用する。機能ボタンとしては、例えば終了ボタン、戻るボタン、画像送りボタン、ジャンプボタン、絞込みボタン、属性変更ボタンなどがある。例えば、メニューボタンが押されると各種の設定可能なメニュー画面が表示部１０１に表示される。ユーザは、表示部１０１に表示されたメニュー画面と、上下左右の４方向ボタンやＳＥＴボタンとを用いて直感的に各種設定を行うことができる。
【００２８】
なお、操作部１０４の１つとして、表示部１０１に対する接触を検知可能なタッチパネルを有する。タッチパネルと表示部１０１とは一体的に構成することができる。例えば、タッチパネルを光の透過率が表示部１０１の表示を妨げないように構成し、表示部１０１の表示面の上層に取り付ける。そして、タッチパネルにおける入力座標と、表示部１０１上の表示座標とを対応付ける。これにより、あたかもユーザが表示部１０１上に表示された画面を直接的に操作可能であるかのようなＧＵＩを構成することができる。
【００２９】
コントローラホイール１０６は、操作部１０４に含まれる回転操作可能な操作部材であり、方向ボタンと共に選択項目を指示する際などに使用される。コントローラホイール１０６を回転操作すると、操作量に応じて電気的なパルス信号が発生し、このパルス信号に基づいてシステム制御部２０１はデジタルカメラ１００の各部を制御する。このパルス信号によって、コントローラホイール１０６が回転操作された角度や、何回転したかなどを判定することができる。なお、コントローラホイール１０６は回転操作が検出できる操作部材であればどのようなものでもよい。例えば、ユーザの回転操作に応じてコントローラホイール１０６自体が回転してパルス信号を発生するダイヤル操作部材であってもよい。また、タッチセンサよりなる操作部材で、コントローラホイール１０６自体は回転せず、コントローラホイール１０６上でのユーザの指の回転動作などを検出するものであってもよい（いわゆる、タッチホイール）。
【００３０】
電源制御部２１４は、電池検出回路、ＤＣ−ＤＣコンバータ、通電するブロックを切り替えるスイッチ回路等により構成され、電池の装着の有無、電池の種類、電池残量の検出を行う。また、電源制御部２１４は、その検出結果及びシステム制御部２０１の指示に基づいてＤＣ−ＤＣコンバータを制御し、必要な電圧を必要な期間、記録媒体１０９を含む各部へ供給する。
【００３１】
電源部２１５は、アルカリ電池やリチウム電池等の一次電池やＮｉＣｄ電池やＮｉＭＨ電池、リチウムイオン電池等の二次電池、ＡＣアダプタ等からなる。記録媒体Ｉ／Ｆ２１６は、メモリカードやハードディスク等の記録媒体１０９とのインターフェースである。記録媒体１０９は、撮影された画像を記録するためのメモリカード等の記録媒体であり、半導体メモリや磁気ディスク等から構成される。
【００３２】
通信部２１７は、無線アンテナや有線ケーブルによって外部機器と通信可能に接続し、映像や音声の送受信を行う。通信部２１７は無線ＬＡＮ（Ｌｏｃａｌ  Ａｒｅａ  Ｎｅｔｗｏｒｋ）やインターネットにも接続可能である。通信部２１７は撮像部２０５で撮像された画像データ（スルー画像を含む）や、記録媒体１０９に記録されている画像ファイルを外部機器に送信でき、また、外部機器から画像データやその他の各種情報を受信できる。
【００３３】
姿勢検知部２１８は、重力方向に対するデジタルカメラ１００の姿勢を検知する。姿勢検知部２１８で検知された姿勢に応じて、撮像部２０５で撮像された画像がデジタルカメラ１００を横に構えて撮影されたものか、縦に構えて撮影されたものかを判別可能である。システム制御部２０１は、姿勢検知部２１８で検知された姿勢に関する情報を撮像部２０５で撮像された画像データに付加したり、画像データを回転して記憶することが可能である。姿勢検知部としては、加速度センサやジャイロセンサ等を用いることができる。
【００３４】
なお、ハードウェアの構成は図２に示すものに限定されず、例えば１つのハードウェアが表示制御、通信制御、撮影制御、画像処理制御等を行い、デジタルカメラ１００の各手段として機能してもよい。また、複数のハードウェアが協働して１つの手段として機能してもよい。
【００３５】
本実施形態のデジタルカメラ１００は、ユーザによりＤＩＳＰボタン１０４ａが押下された後、所定時間未満で押下が解除される操作（以下、短押し）が行われる度に、表示モードが切り替わる。また、静止画撮影モードや動画記録モードにおいてライブビュー中の表示モードとしては、例えば以下のモードがある。
【００３６】
（１）表示モード１：図４（ａ）のように、スルー画像４０１とフォーカス位置に関する情報（フォーカス枠４０２）のみを表示する。スルー画像４０１のみを表示してもよい。
【００３７】
（２）表示モード２：図４（ｂ）の簡易情報表示。スルー画像４０１に重畳して、フォーカス枠４０２、現在の撮影モードの種別を表すアイコン、電池残量、残り撮影可能枚数、現在の撮影設定（例えば、画像サイズ、圧縮率、絞り、シャッター速度、ＩＳＯ感度、露出補正、ホワイトバランス設定、ストロボ設定）などの情報４０３を表示する。
【００３８】
（３）表示モード３：図４（ｃ）の詳細情報表示。スルー画像４０１に重畳して、フォーカス枠４０２、表示モード２で表示した情報４０３に加え、水準器（カメラの傾きを示す表示）４０４、グリッドライン４０５、輝度ヒストグラム４０６等の情報を表示する。
【００３９】
上述した表示モード１〜３はそれぞれ、表示する情報の種類や数が異なる。ＤＩＳＰボタン１０４ａが短押しされる度に、表示モード１→表示モード２→表示モード３→表示モード１というように表示モードが切り替わる。再生モードにも同様に、再生画像と共に表示される情報の種類や数の異なる複数の表示モードがあり、再生モードでの画像再生中にＤＩＳＰボタン１０４ａが短押しされる度に、再生モードにおける表示モードが切り替わる。
【００４０】
また、本実施形態のデジタルカメラ１００は、ユーザによりＤＩＳＰボタン１０４ａが押下された後、所定時間以上押下状態を継続した後に押下が解除される操作（以下、長押し）が行われる度に、通常表示モードと明所表示モードとが切り替わる。通常表示モードは、電源オン後に最初に表示される状態であり、メニュー画面に含まれる表示輝度の設定項目においてユーザにより設定された輝度設定値に対応する輝度レベルで表示される通常表示状態である。例えば、表示輝度の設定項目においては、輝度レベルに対応する輝度設定値１〜７（１が暗く、７が明るい）の７段階のいずれかが選択できるものとする。例えば、設定項目でユーザが輝度設定値「４」を選択した場合は、「４」を示す情報が不揮発性メモリ２１３に記憶される。通常表示モードでは、不揮発性メモリ２１３に記憶された輝度設定値（「４」）を読み出し、この輝度設定値に対応する輝度レベルで表示を行う。
【００４１】
明所表示モードは、設定項目から選択可能な輝度レベルのうち最も明るい輝度レベルで表示される明所表示状態である。上述の７段階の輝度レベルが選択可能な場合には、明所表示モードでは、ユーザ操作により既に設定され、不揮発性メモリ２１３に記憶されている輝度設定値にかかわらず、輝度設定値が「７」に対応する輝度レベルで表示を行う。すなわち、明所表示モードでは、既に設定されている輝度設定値が７段階のうち「４」であっても、「７」に対応する輝度レベルで表示を行う。本実施形態において、輝度とは、例えば、表示部１０１がＬＣＤの場合はバックライトの明るさであるが、有機ＥＬなどの自己発光するディスプレイの場合には、自己発光する明るさとなる。
【００４２】
また、ＭＥＮＵボタン１０４ｂを押下することにより表示されるメニュー項目に表示される複数の設定項目には、暗所表示モードに設定するための項目もあり、ユーザ操作により暗所表示モードに設定することができる。図５（ａ）は、通常表示モード（暗所表示設定オフ）におけるライブビュー時の画面表示例を示しており、図４で説明した表示モードは、例えば表示モード２に設定されている。図５（ａ）では、表示部１０１にスルー画像５０１に重畳される各種情報（表示アイテム）５０３が白色（ＲＧＢの各色成分のゲインが同じ）で表示されている。図５（ｂ）は、暗所表示モード（暗所表示設定オン）におけるライブビュー時の画面表示例を示している。表示部１０１には、スルー画像５０１に重畳して、各種情報（表示アイテム）５０３にＲ（赤）、Ｇ（緑）、Ｂ（青）の各色成分のゲインをかけることで暗所に好適な色変換が施され、オレンジがかった色で表示されている。天体観測などの夜間に周囲が暗い状況で撮影を行う際に、ユーザは周囲の暗さに目が慣れてものが見えるようになる現象（暗順応）が知られている。青色に近い波長の光は暗順応の妨げになりやすいので、暗順応を維持するためには可視光のうち青色付近の波長の光を軽減して表示することが有効である。すなわち、ＲＧＢの各色成分のうち青（Ｂ）成分を抑えた表示（青みを抑えた表示）を行うことで暗順応の妨げを抑止することができる。
【００４３】
本実施形態では、暗所表示モード（暗所表示設定オン）において、表示部１０１に表示される各種情報（表示アイテム）のＢ成分のみ若しくはＢ成分とＧ成分を低減し、くすんだオレンジ、あるいは茶色のような色で表示を行う。このようにすることでユーザの視覚の暗順応を維持しやすい、暗所に好適な色で表示を行うことができる。なお、各種情報（表示アイテム）にＲＧＢの各色のゲインを調整することで暗所表示を行う方法以外に、暗所表示でない場合と色の異なる、赤またはオレンジの色を用いた表示アイテムで構成された画面を表示することで暗所表示としてもよい。また、暗所表示モードでは、色味を変更すると共に、表示輝度も通常表示モード時よりも低減する。
【００４４】
＜表示モードの設定／解除処理＞次に、図３を参照して、本実施形態のカメラ１００による表示モードの設定／解除処理について説明する。
【００４５】
図３の処理は、表示部１０１に表示されたメニュー項目の複数の設定項目から暗所表示設定をオンすることで暗所表示モードを設定すると共に、ＤＩＳＰボタン１０４ａの長押しにより暗所表示モードを解除する処理を示している。
【００４６】
また、図３の処理は、デジタルカメラ１００を撮影モードで起動して通常表示モード時の輝度でライブビュー画面を表示する、或いは、再生モードで起動して通常表示モード時の輝度で画像の再生を行うと開始される。なお、カメラ起動時に暗所表示モードで表示するか否かは、電源オフ直前の表示モードの設定により異なり、前回暗所表示モードに設定されていた場合は暗所表示モードで起動する。
【００４７】
なお、図３の処理は、不揮発性メモリ２１３に格納されたプログラムをシステムメモリ２１２に展開してシステム制御部２０１が実行することにより実現される。
【００４８】
Ｓ３０１では、システム制御部２０１は、ＭＥＮＵボタン１０４ｂが押下されたか否かを判定し、押下された場合はＳ３０２に進み、そうでない場合はＳ３０９に進む。
【００４９】
Ｓ３０２では、システム制御部２０１は、表示部１０１にメニュー画面を表示する。
【００５０】
Ｓ３０３では、システム制御部２０１は、ＭＥＮＵボタン１０４ｂが押下されたか否かを判定し、押下された場合はＳ３０８へ進み、押下されない状態で所定時間が経過した場合はＳ３０４に進む。
【００５１】
Ｓ３０８では、システム制御部２０１は、メニュー画面の表示を終了し、Ｓ３０１へ戻る。この場合、デジタルカメラ１００が撮影モードならばライブビュー画面の表示状態に戻り、再生モードならば再生画像の表示状態に戻る。
【００５２】
Ｓ３０４では、システム制御部２０１は、メニュー項目の複数の設定項目のうち、暗所表示モードの設定項目が選択されたか否かを判定し、暗所表示モードの設定項目が選択された場合はＳ３０５に進み、そうでない場合はＳ３０３に戻る。暗所表示モードの設定項目の選択操作は、表示部１０１に表示されたメニュー画面におけるメニュー項目の複数の設定項目の中から、操作部１０４に含まれる上下方向キーなどを用いて行うことができる。このような画面に対する操作は、表示部１０１が見えづらい状況ではユーザにとって操作しにくいものとなる。
【００５３】
Ｓ３０５では、システム制御部２０１は、暗所表示モードのメニュー項目を表示し、ユーザ操作により暗所表示がオンされたか否かを判定し、暗所表示がオンされた場合はＳ３０７に進み、オフする操作がなされた場合はＳ３０８に進む。暗所表示モードのメニュー項目には、「オン」と「オフ」の２つの設定項目が選択可能に表示され、ユーザは、操作部１０４に含まれる左右方向キーなどを用いて「オン」か「オフ」を選択することで、「オン」または「オフ」の設定を行うことができる。このような画面に対する操作は、表示部１０１が見えづらい状況ではユーザにとって操作しにくいものとなる。
【００５４】
Ｓ３０７では、システム制御部２０１は、暗所表示がオンされたので暗所表示モードに設定し、暗所表示をオンに設定した状態を示す情報を不揮発性メモリ２１３に記憶する。この時点から暗所表示モードに切り替わり、表示しているメニュー画面も、赤みがかかった表示形態に変更される。
【００５５】
Ｓ３０６では、システム制御部２０１は、暗所表示がオフなので暗所表示モードを解除し、暗所表示をオフに設定した状態を示す情報を不揮発性メモリ２１３に記憶する。この時点で暗所表示モードから通常表示モードに切り替わり、赤みがかっていた表示形態から通常の色での表示形態に変更される。
【００５６】
Ｓ３０９では、システム制御部２０１、ＤＩＳＰボタン１０４ａが押下されたか否かを判定し、押下された場合はＳ３１０に進み、そうでない場合はＳ３０１に戻る。
【００５７】
Ｓ３１０では、システム制御部２０１は、ＤＩＳＰボタン１０４ａが長押しされたか否かを判定するための長押し判定用のタイマーをスタートさせる。
【００５８】
Ｓ３１１では、システム制御部２０１は、Ｓ３１０でスタートした長押し判定用タイマーのカウント値に基づき、ＤＩＳＰボタン１０４ａが押下された状態で所定時間が経過したか否かを判定する。判定の結果、所定時間が経過していない場合はＳ３１２に進み、所定時間が経過した場合（すなわち長押しが行われた場合）はＳ３１４に進む。
【００５９】
Ｓ３１２では、システム制御部２０１は、ＤＩＳＰボタン１０４ａの押下が解除されたか否かを判定し、解除された場合はＳ３１３に進み、解除されない場合はＳ３１１に戻る。ここで解除されたと判定された場合は、Ｓ３０９でＤＩＳＰボタン１０４ａが押下されてから所定時間が経過していないので、短押しが行われたと判定される。
【００６０】
Ｓ３１３では、システム制御部２０１は、ＤＩＳＰボタン１０４ａの短押しに応じた表示モードの切り替えを行う。
【００６１】
Ｓ３１４では、システム制御部２０１は、ＤＩＳＰボタン１０４ａが長押しされたと判定し、現在、暗所表示モードで表示中か（暗所表示がオンとなっているか）否かを判定し、暗所表示モードである場合はＳ３１５に進み、そうでない場合はＳ１１７に進む。
【００６２】
Ｓ３１５では、システム制御部２０１は、暗所表示モードを解除し、通常表示モードへ切り替える。すなわち、不揮発性メモリ２１３に記憶された暗所表示をオンに設定した状態を示す情報を、オフに変更する。このようにすることで、図５（ｂ）のような暗所表示モードから、図５（ａ）のような暗所表示ではない通常表示モードに切り替えられる。このように、本実施形態のデジタルカメラ１００は、暗所表示モードに設定された状態でＤＩＳＰボタン１０４ａが長押しされると、暗所表示モードを解除する。なお、この場合、輝度レベルの設定は変更しないものとする（通常表示モードと明所表示モードの切り替えは行わない）。このように、表示部１０１を見ないで物理的な押しボタンスイッチであるＤＩＳＰボタン１０４ａを長押しするだけで暗所表示モードを解除することができる。従って、周囲が明るい状況において暗所表示モードで表示が行われて画面が見えづらい場合であっても、表示部１０１のメニュー画面を見ずに簡単に暗所表示モードを解除して通常の見やすい色での表示に変更することができる。このとき、輝度レベルの変更（通常表示モードと明所表示モードの切り替え）は行わない。
【００６３】
Ｓ３１６では、システム制御部２０１は、ＤＩＳＰボタン１０４ａの押下が解除されるまで待機し、解除された場合はＳ３０１に戻って処理を繰り返す。
【００６４】
Ｓ３１７では、システム制御部２０１は、暗所表示モード以外の表示モードであるので、輝度レベルが通常表示モードであるのか、明所表示モードであるのかを判定し、明所表示モードの場合はＳ３１８に進み、通常表示モードの場合にはＳ３１９に進む。
【００６５】
Ｓ３１８では、システム制御部２０１は、明所表示モードに変更する（設定項目から選択可能な輝度レベルのうち最も明るい輝度レベルで表示する）。このようにすることで、周囲が明るいため、表示部１０１が見えづらい場合でも、最大輝度で表示して表示部１０１の視認性を向上させることができる。
【００６６】
Ｓ３１９では、システム制御部２０１は、明所表示モードを解除して、通常表示モードに変更する。すなわち、ユーザ操作により設定された輝度レベルでの表示に変更する。このように、通常表示モードから明所表示モードに変更する操作と、明所表示モードを解除する操作を、同じ操作（ＤＩＳＰボタン１０４ａの長押し）で行うことができる。
【００６７】
上述した処理により、システム制御部２０１は、ＤＩＳＰボタン１０４ａの長押しという、画面を見ずに操作できる単一の物理的な操作部材を操作するだけで暗所表示モードの解除を容易に行うことができる。このようにして、メニュー画面を表示して設定変更を行うといった、画面が見えづらい状況で操作しにくい方法を用いなくても、暗所表示設定を解除することができる。すなわち、暗所表示設定がオンされて表示部１０１の表示内容が見えづらいために、メニュー画面に対する操作が行いにくく、暗所表示モードを解除しにくいといった状況を改善することができる。
【００６８】
また、表示部１０１が見えづらいときに明所表示モードに変更することで解消することに慣れているユーザは、明るい場所で暗所表示モードで起動されたために表示部１０１がよく見えないときには、まず、明所表示モードへの設定変更を試みる可能性がある。そのため、通常表示モードと明所表示モードを切り替えるための操作である、ＤＩＳＰボタン１０４ａの長押しで暗所表示モードを解除できるようにすれば、表示部１０１が見えづらい原因が暗所表示モードであることに気づいていないユーザでも、暗所表示モードを解除して見えづらさを解消することができる可能性がある。
【００６９】
また、ＤＩＳＰボタン１０４ａに、表示モード１〜３のいずれかに切り替える機能、通常表示モードと明所表示モードを切り替える機能、暗所表示モードを解除する機能と、いずれも表示モードを変更する機能を集約させている。これにより、表示モードを変更するにはＤＩＳＰボタン１０４ａをどのようにか操作すればよいという、直感的な操作感をユーザに提供することができる。
【００７０】
なお、ＤＩＳＰボタン１０４ａの長押しによって暗所表示モードを解除するＳ３１５では、輝度レベルを通常表示モードとする例を説明したが、一度に明所表示モードへ切り替えてもよい。
【００７１】
また、本実施形態では、ＤＩＳＰボタン１０４ａの長押しで暗所表示モードを解除する例を説明したが、表示部１０１の表示内容が見えづらい状況で画面を見ずに暗所表示モードを解除できる手段や方法であれば、本実施形態以外の手段や方法によって暗所表示モードを解除してもよい。例えば、操作部１０４に含まれる、ＤＩＳＰボタン１０４ａ以外の操作部材を長押しすることで暗所表示モードを解除するようにしてもよい。また、デジタルカメラ１００を振る操作（デジタルカメラ１００の姿勢検知部２１８で所定の振動を検知したことに応じて解除する）、デジタルカメラ１００の所定の場所に触れる操作、音声認識、タッチパネルを用いた所定のジェスチャ操作、タッチパネルの画面を手で覆う操作、複数の操作部材の同時押し等であってもよい。
【００７２】
なお、本実施形態では、明所表示モードにおいて、設定可能な輝度レベルのうち最大の輝度での表示を行う例を説明したが、これに限るものではなく、明所表示モードに切り替える前よりも明るい輝度で表示を行う（表示輝度を上げる）状態であればよい。例えば、複数段階（例えば７段階）の輝度設定値のうち、通常表示モード時の輝度レベルとして設定された設定値よりも、所定段階（例えば２段階）明るい設定値の輝度で表示を行う状態を明所表示モードとしてもよい。
【００７３】
なお、システム制御部２０１の制御は１つのハードウェアが行ってもよいし、複数のハードウェアが処理を分担することで、装置全体の制御を行ってもよい。
【００７４】
また、本発明をその好適な実施形態に基づいて詳述してきたが、本発明はこれら特定の実施形態に限られるものではなく、この発明の要旨を逸脱しない範囲の様々な形態も本発明に含まれる。
【００７５】
また、上述した実施形態においては、本発明をデジタルカメラ等の撮像装置に適用した場合を例に説明したが、本発明はこの例に限定されず、暗所表示モードを含む複数の表示モードへの切り替え機能を有する装置であれば適用可能である。すなわち、本発明は、パーソナルコンピュータやその一種であるタブレット、携帯電話やその一種であるスマートフォン（眼鏡型端末や腕時計型端末を含む）、ＰＤＡ、携帯型の画像ビューワ、ディスプレイを備えるプリンタ装置、デジタルフォトフレーム、音楽プレーヤー、ゲーム機、電子ブックリーダなどに適用可能である。
【００７６】
［他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７７】
１００…デジタルカメラ、１０１…表示部、１０４…操作部、１０４ａ…ＤＩＳＰボタン、１０４ｂ…ＭＥＮＵボタン、２０１…システム制御部
【図１】
0006761228.tif 000002
【図２】
0006761228.tif 000003
【図３】
0006761228.tif 000004
【図４】
0006761228.tif 000005
【図５】
0006761228.tif 000006